(57)【要約】【課題】分割金型を用いて成型後、金型を分離する際、パーティングラインにバリが発生しても、簡単にバリを取ることができる軒樋自在ドレンを提供する。【解決手段】外面に雄ネジ２を刻設してなる雄筒体１を有するドレン上部材Ａと内面に雌ネジ８を刻設してなる雌筒体７を有するドレン下部材Ｂとからなり、上記雄筒体１を軒樋底面に穿たれた孔部に嵌挿して上記雌筒体７に螺合し、軒樋底面を挟着してなる自在ドレンであって、上記雄筒体１の任意の外周面に１８０度の間隔をおいて平面部６を形成するとともに、該平面部６が該雄ネジ２の谷部２１の接線を基面として雄ネジの縦方向に面一に形成された軒樋自在ドレン。【選択図】図１
2007308909.tif 000002
【特許請求の範囲】
【請求項１】
外面に雄ネジを刻設してなる雄筒体を有するドレン上部材と内面に雌ネジを刻設してなる雌筒体を有するドレン下部材とからなり、上記雄筒体を軒樋底面に穿たれた孔部に嵌挿して上記雌筒体に螺合し、軒樋底面を挟着してなる自在ドレンであって、上記雄筒体の任意の外周面に１８０度の間隔をおいて平面部を形成するとともに、該平面部が該雄ネジの谷部の接線を基面として雄ネジの縦方向に面一に形成された軒樋自在ドレン。
【請求項２】
上記雌筒体の内面に複数の切欠部を設けるとともに、上記雄筒体の外周面に設けられた平面部と上記切欠部とによって形成される隙間が軒樋底面のドレン上部材とドレン下部材とによる挟着固定部から浸入する雨水を上記雌筒体の内部に排出する流路を形成する請求項１に記載の軒樋自在ドレン。
【発明の詳細な説明】
【技術分野】
【０００１】
本発明は、軒樋のドレンに関する。さらに詳しくは、軒樋底面の任意の箇所に穿たれた排水用の孔部周辺の軒樋底面を上下から挟着し、該孔部に嵌挿する雄筒体とこの雄筒体に螺合する雌筒体とを介して軒樋と竪樋とを接続する軒樋自在ドレンの構造に関する。
【背景技術】
【０００２】
従来から、軒樋底面の任意の箇所に排水孔を穿ち、この排水孔に止水パッキンを介してドレン上部材とドレン下部材とを螺合装着し、軒樋を流れる雨水を竪樋に排出する自在ドレンに関しては公知であり、種々の技術が開示されている。例えば、下記特許文献１には、その第１図に記載のように、軒樋の底面に開けられた排水孔に上方から挿入される雄筒体を備えたドレン上部材と該雄筒体の雄ネジと螺合する雌ネジが内周面に形成された雌筒体を備えたドレン下部材とからなり、上記雌筒体に雌ネジのネジ山が上下に連通して切り欠かれた切欠部を複数箇所設け、かつ、上記雄筒体に雄ネジのネジ山が切り欠かれて上下に連通した縦溝を複数箇所設けたことを特徴とする軒樋用ドレンが開示されている。
【特許文献１】特開平７−３１７２４５号公報（第１〜４頁、第１図）
【発明の開示】
【発明が解決しようとする課題】
【０００３】
一方、上記特許文献１に記載のドレン上部材のように雄筒体の雄ネジのネジ山を切り欠いて縦溝を設けるものではなく、ネジ山が連続した通常の雄ネジを備えた雄筒体を有するドレン上部材も公知であり、この場合、この雄筒体は、連続した雄ネジのネジ型が内側に刻設された分割金型により成型して生産される。
【０００４】
しかしながら、分割金型の老朽化あるいは成型条件によっては、金型の合わせ目を分離する際、本願図４に示すように、成型して得られたドレン上部材Ｃの雄筒体のパーティングラインに沿ってバリＤが発生するという問題がある。このように、雄ネジ上にバリが発生した場合、ネジ形状を保ってバリを除去する必要があるため、作業性が悪く、バリ取りに手間がかかるという問題がある。
【０００５】
本発明は、このような問題を解決して、分割金型を用いて成型後、金型を分離する際、パーティングラインにバリが発生しても、簡単にバリを取ることが可能な軒樋自在ドレンを提供することを、その課題とする。
【課題を解決するための手段】
【０００６】
上記課題を解決するために、本発明においては、つぎのような技術的手段を講じている。すなわち、請求項１に記載の発明によれば、外面に雄ネジを刻設してなる雄筒体を有するドレン上部材と内面に雌ネジを刻設してなる雌筒体を有するドレン下部材とからなり、上記雄筒体を軒樋底面に穿たれた孔部に嵌挿して上記雌筒体に螺合し、軒樋底面を挟着してなる自在ドレンであって、上記雄筒体の任意の外周面に１８０度の間隔をおいて平面部を形成するとともに、該平面部が該雄ネジの谷部の接線を基面として雄ネジの縦方向に面一に形成された軒樋自在ドレンが提供される。
【０００７】
通常、上記ドレン上部材とドレン下部材とは、ポリカーボネイト樹脂、硬質塩化ビニル樹脂、ＡＢＳ樹脂、ポリエステル樹脂、ポリプロピレン樹脂等の合成樹脂を成型して製作される。
【０００８】
請求項２に記載の軒樋自在ドレンは、請求項１に記載の発明に加えて、上記雌筒体の内面に複数の切欠部を設けるとともに、上記雄筒体の外周面に設けられた平面部と上記切欠部とによって形成される隙間が軒樋底面のドレン上部材とドレン下部材とによる挟着固定部から浸入する雨水を上記雌筒体の内部に排出する流路とされる。
【発明の効果】
【０００９】
請求項１に記載の発明にかかる軒樋自在ドレンは上記のとおりであり、雄筒体を有するドレン上部材と雌筒体を有するドレン下部材とによって軒樋底面を挟着し、上記雄筒体の任意の外周面に１８０度の間隔をおいて平面部を形成し、該平面部が該雄ネジの谷部の接線を基面として雄ネジの縦方向に面一に形成されているため、該平面部に分割金型の合わせ目を位置させることにより、金型の老朽化や成型条件により、成型後、金型の分離時にそのパーティングラインにバリが発生しても、バリを簡単に、作業性よく除去することができる。
【００１０】
請求項２に記載の軒樋自在ドレンは上記のとおりであり、請求項１の軒樋自在ドレンの有する効果に加え、上記雌筒体の内面に複数の切欠部を設けるとともに、上記雄筒体の外周面に設けられた平面部と上記切欠部とによって隙間が形成され、この隙間が軒樋底面の挟着固定部から浸入する雨水を上記雌筒体の内部に排出する流路となるため、雨水が洩れ、竪樋の外側を伝って流れ落ちることを防げる。
【発明を実施するための最良の形態】
【００１１】
以下、本発明の実施形態について図面を参照して詳細に説明する。図１は本発明にかかる軒樋自在ドレンを示す分解斜視図である。図１に示すように、上記軒樋自在ドレンは軒樋底面の任意の位置に穿たれた排水孔としての図示しない孔部を挟んで上位に位置するドレン上部材Ａと上記孔部より下位に位置するドレン下部材Ｂとから構成される。
【００１２】
上記ドレン上部材Ａは外面に雄ネジ２を刻設してなる雄筒体１と、この雄筒体１の上端から外向きに形成され、上記軒樋の図外底面に密接する上フランジ３とを備え、上記雄筒体１は、軒樋底面の図外孔部に嵌挿される。さらに、上記雄筒体１の上端には、この雄筒体１の中に枯葉やゴミ等が浸入して詰まることを防止するための複数本のリブ４が立ち上がり、雄筒体１の上方で集束されるとともに、集束部には排水効率を高めるための上下に貫通した空気孔を備えた空気抜き筒５が設けられている。また、後記するように、上記雄筒体１の外周面に１８０度の間隔をおいて２つの平面部６が形成されており、合成樹脂を分割金型で成型してドレン上部材Ａを製作する際、該分割金型の合わせ目が該平面部６、６に位置するようにされている。
【００１３】
上記ドレン下部材Ｂは上記雄筒体１の雄ネジ２と螺合する雌ネジ８を内面に刻設してなる雌筒体７とこの雌筒体７の上端から外向きに形成された下フランジ９とを備えている。該下フランジ９は軒樋の底面の裏面に密接する。また、雌筒体７の内面には雌ネジ８のネジ山が上下に連通して切欠かれた複数本の切欠部８１が設けられ、上記雌筒体７の下部は、雌筒体７よりも外径の小さい接続部７１とされ、この接続部７１に竪樋を差し込んで、軒樋と竪樋とが接続される。
【００１４】
図２は、図１に示すドレン上部材Ａを示す正面図であり、図３は、図２におけるＸ−Ｘ線に沿う平断面図である。図２、図３に示されているように、上記２つの平面部６、６は、雄筒体１の外周面に、雄ネジ２を螺合する方向で雄ネジ２の谷部２１の接線を基面として雄ネジ２を縦方向に面一に切削するようにして設けられている。この２つの平面部６、６上に分割金型の合わせ目が位置するようにすることにより、金型の分離時にそのパーティングラインにバリが発生しても、簡単に作業性よく、該バリの除去作業を行うことができる。
【００１５】
上記ドレン上部材Ａの雄筒体１は、軒樋に穿たれた排水用の図示しない孔部の上方からドレン下部材Ｂの雌筒体７にねじ込まれ、上フランジ３と下フランジ９とは上記孔部周辺の軒樋底面をしっかりと挟着する。このとき、雌筒体７の内面に雌ネジ８のネジ山を上下に連通して切欠いて設けられた複数本の切欠部８１と上記雄筒体１の外周面に設けられた平面部６とによって形成される隙間が上記軒樋底面の挟着固定部からパッキン等の不具合により浸入する雨水の流路となる。このようにすることにより、浸入した雨水は雌筒体の内部に排出され、雨水が竪樋の外側を伝って流下することを防ぐことができる。
【図面の簡単な説明】
【００１６】
【図１】本発明にかかる軒樋自在ドレンを示す分解斜視図である。
【図２】本発明にかかるドレン上部材を示す正面図である。
【図３】図２におけるＸ−Ｘ線に沿う平断面図である。
【図４】公知のドレン上部材を示す正面図である。
【符号の説明】
【００１７】
Ａ          本発明にかかるドレン上部材
Ｂ          本発明にかかるドレン下部材
Ｃ          公知のドレン上部材
Ｄ          バリ
１          雄筒体
２          雄ネジ
２１        谷部
３          上フランジ
４          リブ
５          空気抜き筒
６          平面部
７          雌筒体
７１        接続部
８          雌ネジ
８１        切欠部
９          下フランジ
【図１】
2007308909.tif 000003
【図２】
2007308909.tif 000004
【図３】
2007308909.tif 000005
【図４】
2007308909.tif 000006